(57)【要約】【課題】  遊技盤の意匠盤面への球反発体の取付作業工程を少なくでき、球反発体の取付けを容易にする。【解決手段】  ガイドレール７が、発射機構１２から発射された球Ｐを遊技領域１６に誘導する発射通路１９と発射通路から発射された球を流下させる遊技領域１６とを意匠盤面４に囲み形成した遊技盤３において、発射通路から遊技領域に発射された球の衝突で当該球を遊技領域に跳ね返す球反発体２０が、前面及び左右に開放されかつ底部の閉鎖された溝を有し、この溝の底部が、ガイドレール７と意匠盤面４とで挟み付けられたものとした。【選択図】        図１
2005124810.tif 000002
【特許請求の範囲】
【請求項１】
ガイドレールが、発射機構から発射された球を遊技領域に誘導する発射通路と発射通路から発射された球を流下させる遊技領域とを意匠盤面に囲み形成した遊技盤において、発射通路から遊技領域に発射された球の衝突で当該球を遊技領域に跳ね返す球反発体が、前面及び左右に開放されかつ底部の閉鎖された溝を有し、この溝の底部が、ガイドレールと意匠盤面とで挟み付けられたことを特徴とする遊技盤。
【請求項２】
球反発体のガイドレールを挟み込む溝の底部にはガイドレールの遊技盤への固着具を挿入する貫通孔が設けられたことを特徴とする請求項１に記載の遊技盤。
【請求項３】
ガイドレールが、発射機構から発射された球を遊技領域に誘導する発射通路と発射通路から発射された球を流下させる遊技領域とを意匠盤面に囲み形成した遊技盤において、発射通路から遊技領域に発射された球の衝突で当該球を遊技領域に跳ね返す球反発体が、ガイドレールに取付けられたことを特徴とする遊技盤。
【請求項４】
ガイドレールの意匠盤面側には、球反発体の取付用の係合部が、ガイドレールと意匠盤面との双方に接触して移動する球と干渉しない範囲に設けられたことを特徴とする請求項３に記載の遊技盤。
【請求項５】
係合部が、ガイドレールと意匠盤面との双方に接触して移動する球の移動方向に複数設けられたことを特徴とする請求項４に記載の遊技盤。
【請求項６】
球反発体が、底部及び左右に開放されかつ前部の閉鎖された溝を有し、この溝が、ガイドレールにガイドレールの前部より意匠盤面側に嵌め込まれることによって球反発体がガイドレールに取付けられたことを特徴とする請求項３ないし請求項５のいずれかに記載の遊技盤。
【請求項７】
球反発体の前面が、遊技盤を格納した遊技機枠の前面で閉じられたパネルの裏面に接触したことを特徴とする請求項１ないし請求項６のいずれかに記載の遊技盤。
【請求項８】
球反発体が遊技領域の天に位置したことを特徴とする請求項１ないし請求項７のいずれかに記載の遊技盤。
【発明の詳細な説明】
【技術分野】
【０００１】
本発明は球反発体を備えた遊技盤に関する。
【背景技術】
【０００２】
従来のパチンコ機では、弾性を有するゴムや合成樹脂から成る球反発体（特許文献１の「球止片１０」に相当）が、遊技盤の意匠盤面に取付けられるガイドレールで囲み形成される遊技領域の天を右側に超えた右斜め上部において遊技盤の意匠盤面にねじ等で取付けられ、左側の発射通路から最大発射出力またはそれに近い発射出力で発射された球が球反発体に衝突すると、球反発体が自らの弾性で当該球を遊技領域へ跳ね返すものが知られている（例えば、特許文献１参照）。
また、遊技盤の遊技領域の天において遊技盤の意匠盤面に球反発体を回転駆動可能に取付けたものが知られている（例えば、特許文献２参照）。
【特許文献１】実公平６−３３９６６号公報
【特許文献２】実公昭５９−１２９３１号公報
【発明の開示】
【発明が解決しようとする課題】
【０００３】
特許文献１，２のように、遊技盤の意匠盤面に球反発体を取付ける場合は、球反発体の取付位置を意匠盤面に正確に形成して、球反発体とガイドレールとを適正な位置関係に取付ける必要があるので、球反発体の取付作業工程が多くなるという問題がある。
本発明は、遊技盤の意匠盤面への球反発体の取付作業工程を少なくでき、球反発体の取付けを容易にすることを目的とする。
【課題を解決するための手段】
【０００４】
本発明の請求項１に係る遊技盤は、ガイドレールが、発射機構から発射された球を遊技領域に誘導する発射通路と発射通路から発射された球を流下させる遊技領域とを意匠盤面に囲み形成した遊技盤において、発射通路から遊技領域に発射された球の衝突で当該球を遊技領域に跳ね返す球反発体が、前面及び左右に開放されかつ底部の閉鎖された溝を有し、この溝の底部が、ガイドレールと意匠盤面とで挟み付けられたことを特徴とする。
請求項２は、球反発体のガイドレールを挟み込む溝の底部にはガイドレールの遊技盤への固着具を挿入する貫通孔が設けられた。
請求項３に係る遊技盤は、ガイドレールが、発射機構から発射された球を遊技領域に誘導する発射通路と発射通路から発射された球を流下させる遊技領域とを意匠盤面に囲み形成した遊技盤において、発射通路から遊技領域に発射された球の衝突で当該球を遊技領域に跳ね返す球反発体が、ガイドレールに取付けられたことを特徴とする。
請求項４は、ガイドレールの意匠盤面側には、球反発体の取付用の係合部が、ガイドレールと意匠盤面との双方に接触して移動する球と干渉しない範囲に設けられた。
請求項５は、係合部が、ガイドレールと意匠盤面との双方に接触して移動する球の移動方向に複数設けられた。
請求項６は、球反発体が、底部及び左右に開放されかつ前部の閉鎖された溝を有し、この溝が、ガイドレールにガイドレールの前部より意匠盤面側に嵌め込まれることによって球反発体がガイドレールに取付けられた。
請求項７は、球反発体の前面が、遊技盤を格納した遊技機枠の前面で閉じられたパネルの裏面に接触した。
請求項８は、球反発体が遊技領域の天に位置した。
【発明の効果】
【０００５】
請求項１では、球反発体が、ガイドレールと意匠盤面とで挟み付けられて取付けられたので、遊技盤の意匠盤面への球反発体の取付作業工程を少なくでき、球反発体の取付けが容易となる。
請求項２では、球反発体を、固着具でより確実に強固に固定できる。
請求項３では、球反発体が、ガイドレールに取付けられるので、遊技盤の意匠盤面への球反発体の取付作業工程を少なくでき、球反発体の取付けが容易となる。
請求項４では、ガイドレールと意匠盤面との双方に接触して移動する球の球飛びに悪影響を及ぼさないようにできる。
請求項５では、球反発体を係合するガイドレールの係合部を変えることで球反発体の取付位置を変更できるようになる。
請求項６では、溝により球反発体のガイドレールへの取付けを容易にできる。
請求項７では、球反発体をパネルで支持でき、球反発体をより強固に固定できるようになる。
請求項８では、遊技領域の天の位置において球反発体を有するので、球が球反発体に衝突して遊技領域の中央側に流下しやすくなり、少ない数の釘の配列（ゲージ配列）でも、遊技領域の中央下部に設けられることが多い始動入賞部品の近くに球を流下させやすい遊技盤が得られる。
【発明を実施するための最良の形態】
【０００６】
図１を参照し、パチンコ機の概要を説明する。パチンコ機１の遊技機枠２には遊技盤３が取付けられ、遊技盤３の前面である意匠盤面４には、釘５，風車６，ガイドレール７，入賞部品，センター飾り８等の遊技部品が取付けられている。
入賞部品としては、例えば、普通入賞部品９，始動入賞部品１０，変動入賞部品１１等がある。また、遊技盤３の裏面には、センター飾り８の透過性パネル８ａの後方に画面が位置するよう設けられる表示器８０の他、図外の遊技制御装置、球樋等の様々な遊技部品が設けられている。
また、発射機構１２の発射レール１３と遊技盤３のガイドレール７との間には隙間１４が形成され、パチンコ機１の前面に設けられた図外の皿装置からの発射レール１３に供給された球Ｐを、発射機構１２のソレノイド等の駆動源により駆動するハンマー１５で遊技盤３のガイドレール７で囲まれた内側の遊技領域１６に向けて発射する。ハンドルグリップ１７の操作でソレノイド等の駆動源の駆動力が調整されて発射機構１２のハンマー１５で弾かれる球Ｐの発射力が決まる。遊技領域１６に向けて発射された球Ｐは後述する発射通路１９の出口１９ａに設けられた球戻り防止片１９ｂを超えて遊技領域１６に入り、遊技領域１６に向けて発射されて球戻り防止片１９ｂを超えなかった球Ｐがガイドレール７に沿って発射機構１２の方向に戻ってきた場合は、隙間１４及びファール球受樋１８を経由して皿装置に排出するようになっている。
ガイドレール７は、発射機構１２から発射された球Ｐを遊技領域１６に誘導する発射通路１９と発射通路１９から発射された球Ｐを流下させる遊技領域１６とを意匠盤面４に囲み形成するものである。
上記球戻り防止片１９ｂは、ガイドレール７の厚さよりも厚さの薄い例えば０．３ｍｍ程度の薄帯板状の弾性材料としての例えば平坦状の樹脂又は金属製の板ばねより成り、内側のガイドレール７の先端７ｔに取付けられている。この球戻り防止片１９ｂは、先端１９ｃが外側のガイドレール７と当接する状態あるいは外側のガイドレール７と球Ｐの半径以下に相当する距離を隔てて離れる状態に取付けられている。従って、発射通路１９から発射された球Ｐは球戻り防止片１９ｂを撓ませて遊技領域１６に入り、遊技領域１６に一旦入った球Ｐは釘５や球反発体２０に衝突して発射通路１９に戻ろうとしても球戻り防止片１９ｂに当たり発射通路１９に入ることができない。即ち、球戻り防止片１９ｂは、遊技領域１６に一旦入った球Ｐの発射通路１９への逆戻りを防止する。
遊技盤３は、図５等に示すように、ベニヤ単板を複数枚重ね合せたベニヤ合板あるいは合成樹脂板等で形成された遊技基板３Ａの前面３ａと意匠盤面４を形成する化粧シート４Ａの裏面４ａとが接着剤により結合されて構成される。
【０００７】
本形態の遊技盤３には、発射通路１９から遊技領域１６に発射された球Ｐの衝突で当該球Ｐを遊技領域１６に跳ね返す球反発体２０が、遊技領域１６の天１６Ａの位置においてガイドレール７と意匠盤面４とで挟み付けられた状態でガイドレール７に取付けられている。
球反発体２０は弾性を有するゴムや合成樹脂等で形成される。球反発体２０は、図２に示すような形状に形成される。即ち、球反発体２０は、直方体形状に形成され、ガイドレール挿入溝２１が形成されている。ガイドレール挿入溝２１は、前面２２及び左右に開放されて左面（球Ｐが衝突する面）２３と右面２４とを繋ぐように延長し、かつ底部２５の閉鎖された溝である。このガイドレール挿入溝２１は、上面２６と下面２７との間の中央よりやや上面２６側寄りに形成されている。ガイドレール挿入溝２１の左右間の中央は後述するガイドレール取付装置４０の爪４１を入り込ませるために上面２６及び下面２７の方向に広がるように形成された爪挿入溝２８となっており、この爪挿入溝２８は図３に示すように前面２２から見て円形状に形成されている。爪挿入溝２８における中央の底２９から底面３０に延長するようにガイドレール取付ピン５０を挿入するためのピン貫通孔３１が形成されている。
図４に示すように、ガイドレール７の後部３２（意匠盤面４側）の数箇所にはピン挿入孔３３が形成されており、このピン挿入孔３３にガイドレール取付ピン５０が挿入され、ガイドレール取付ピン５０は中央で折り曲げられて二つ折りにされる。ガイドレール７のピン挿入孔３３に挿入されて二つ折りにされたガイドレール取付ピン５０の上部５１を図５に示すようにガイドレール取付装置４０の爪４１で挟み、かつ、ガイドレール７をガイドレール取付装置４０のガイドレール保持部４２で保持した状態で、ガイドレール取付ピン５０を下端５２側から遊技盤３の意匠盤面４に形成されたピン止着孔６０（ガイドレール取付ピン５０のピンの径より小さい径に形成された孔）に圧入する。ピン止着孔６０は遊技盤３の意匠盤面４から遊技盤３の内部に向けて形成されている。この際、遊技領域１６の天１６Ａに対応する位置のピン挿入孔３３に挿入されたガイドレール取付ピン５０を球反発体２０のピン貫通孔３１に挿入することで、球反発体２０を予めガイドレール取付ピン５０に取付けておく。即ち、ピン貫通孔３１にガイドレール取付ピン５０を挿入するとガイドレール取付ピン５０が自らの弾性で開こうとする力によりピン貫通孔３１に係止された状態となり、この状態で図５に示すように、ガイドレール取付装置４０でガイドレール取付ピン５０の下端５２をピン止着孔６０に挿入し、図６のようにガイドレール取付装置４０を下降してガイドレール取付ピン５０をピン止着孔６０内に圧入していき、そして、ガイドレール７の始端を固定釘５５（図１参照）で遊技盤３に固定する。以上により、ガイドレール７がガイドレール取付ピン５０により遊技盤３に固定されるとともに、図７に示すように、球反発体２０のガイドレール挿入溝２１の底部２５が、ガイドレール７と意匠盤面４とで挟み付けられた状態となり、球反発体２０がガイドレール７により固定されて取付けられた状態となる。尚、本形態では、ガイドレール７と意匠盤面４とで球反発体２０のガイドレール挿入溝２１の底部２５を挟み付けるので、ガイドレール７が取付けられた状態において、ガイドレール７の後端３２ｅ（図４参照）と意匠盤面４との間に隙間が生じるが、この隙間は球Ｐの１個分の直径よりも小さければよい。
【０００８】
さらに、図７に示すように、ガイドレール７により固定された球反発体２０の前面２２に、弾性を有するゴム等で形成されたパッキン板５６を接着剤などで接着してこのパッキン板５６の前面５７により球反発体２０の前面２２Ａを形成し、当該前面２２Ａを、遊技盤３を格納した遊技機枠２の前面で閉じられたガラス等の透過性パネル５８の裏面５９に接触させるようにすることで、透過性パネル５８が閉じられた状態にあっては、球反発体２０が透過性パネル５８と意匠盤面４とで挟み付けられた状態となり、球反発体２０がより強固に固定される。尚、ガイドレール７により固定されて取付けられた状態で、閉じられた透過性パネル５８の裏面５９に前面２２が接触するように形成された球反発体２０を用いてもよい。
【０００９】
本形態によれば、球反発体２０のガイドレール挿入溝２１にガイドレール取付ピン５０を予め挿入して球反発体２０をガイドレール取付ピン５０に取付けておいてから、ガイドレール７及び球反発体２０を取付けることができるので、球反発体２０の取付位置を意匠盤面４に形成する必要がなく、球反発体２０の取付作業工程を少なくでき、球反発体２０の取付けを容易にできる。
【００１０】
尚、ガイドレール取付ピン５０を用いずに、ガイドレール挿入溝２１のみを有する球反発体を用いてもよい。この場合、ガイドレール７がガイドレール挿入溝２１に圧入されるようにガイドレール挿入溝２１の溝幅を形成することで、ガイドレール７に球反発体を予め取付けておいてから他のガイドレール取付ピン５０でガイドレール７を遊技盤３に取付けるようにすればよい。このようにしても、ガイドレール７と意匠盤面４とで球反発体を挟み付けるようにして固定できる。また、パッキン板５６は用いなくてもよい。
また、図示しないが、ガイドレール挿入溝２１に挿入されるガイドレール７の後部３２（意匠盤面４側）に、図２に示すような球反発体の左右幅Ｗと底部２５の高さＤに対応する切り欠きを設けておけば、ガイドレール７の後端３２ｅを意匠盤面４に接触させた状態にガイドレール７を取付けることが可能となる。
【００１１】
他の形態１
図８〜図１０により他の形態１を説明する。本形態では、図８に示すような、球反発体７０、固着具としての取付クリップ８４、及び係止部としての係止溝８２を有するガイドレール７を用いる。球反発体７０は、直方体状に形成され、ガイドレール挿入溝７１と取付クリップ挿入溝８１とを備える。ガイドレール挿入溝７１は、底面７２及び左右に開放されて左面（球Ｐが衝突する面）７３と右面７４とを繋ぐように延長し、かつ前部７５の閉鎖された溝である。このガイドレール挿入溝７１は、上面７６と下面７７との間の中央に形成されている。球反発体７０の前面７８における左面７３と右面７４との間の中央には、球反発体７０の周囲、即ち、前面７８，上面７６，下面７７，底面７２から球反発体７０の内部に向けて窪み形成された凹溝から成る取付クリップ挿入溝８１を備える。また、ガイドレール７における遊技領域１６の天１６Ａに位置する部分の後部３２（意匠盤面４側）にはガイドレール７の後端３２ｅから切り欠かれた係合部としての係止溝８２が複数個形成されている。この係止溝８２は、ガイドレール７と意匠盤面４との双方に接触して移動する球Ｐと干渉しない範囲に設けられている。しかして、上述と同様にガイドレール取付装置４０及びガイドレール取付ピン５０によりガイドレール７を遊技盤３に取付けた後、ガイドレール７の上部８３（意匠盤面４とは反対側）側より球反発体７０のガイドレール挿入溝７１を挿入して球反発体７０をガイドレールに取付け、弾性を有する金属線等でＵ字状に形成された取付クリップ８４を球反発体７０の前面７８側からクリップ挿入溝８１に挿入して、取付クリップ８４の一方（遊技領域１６側）の下端に形成された係止部８５をガイドレール７の係止溝８２に係合させることで、球反発体７０をガイドレール７に固定状態に取付ける。また、上述と同様、図１０に示すように、球反発体７０の前面７８に、パッキン板５６を接着剤などで接着したり、あるいは、ガイドレール７に取付けられた状態で、閉じられた透過性パネル５８の裏面５９に前面７８が接触するように形成された球反発体７０を用いることで、球反発体７０が透過性パネル５８と意匠盤面４とで挟み付けられた状態となり、球反発体７０がより強固に固定される。尚、図８では、取付クリップ８４の係止部８５を遊技領域１６側から係止溝８２に係合する例を示しているが、取付クリップ８４の係止部８５を遊技領域１６の外側から係止溝８２に係合するようにすれば、ガイドレール７の遊技領域１６側の面（内面）に球Ｐの球飛びに悪影響を及ぼすような傷を生じさせにくくでき、また、係止溝８２の遊技領域１６側の縁に球Ｐの球飛びに悪影響を及ぼすような突起（ばり）を生じさせにくくできる。
【００１２】
他の形態１によれば、球反発体２０の取付位置を意匠盤面４に形成する必要がなく、球反発体２０をガイドレール７に簡単に取付けて固定できるので、球反発体７０の取付作業工程を少なくでき、球反発体７０の取付けを容易にできる。
また、ガイドレール７の後部３２（意匠盤面４側）に、球反発体７０の取付用の係合部としての係止溝８２が、ガイドレール７と意匠盤面４との双方に接触して移動する球Ｐと干渉しない範囲に設けられているので、ガイドレール７と意匠盤面４との双方に接触して移動する球Ｐの球飛びに悪影響を及ぼさないようにできる。
また、係止溝８２が、ガイドレール７と意匠盤面４との双方に接触して移動する球Ｐの移動方向に複数設けられているので、釘配置との関係に応じて球反発体７０の取付位置を容易に変更できるようになる。
また、球反発体７０は取付クリップ挿入溝８１を備えるので、取付クリップ８４が遊技領域１６に突出せず、球飛びに悪影響を及ぼさないようにできる。
【００１３】
尚、図１１に示すように、取付クリップ８４を使用しない球反発体７０Ａを用いてもよい。例えば、ガイドレール挿入溝７１の内壁７１ａに係止溝８２に嵌まり込む突起７１ｂを備えた球反発体７０Ａを用いることで、球反発体７０Ａをガイドレール７に取付けて固定できる。
【００１４】
他の形態２
図１２に示すように、ガイドレール７における遊技領域１６の天１６Ａに位置する部分にねじ貫通孔９０を形成し、ねじ９１で球反発体９２をガイドレール７に取付けてもよい。この場合の球反発体９２としては、底面９３にねじ９１のねじ径より小さなねじ止着孔９４を形成しておく。前方向（透過性パネル方向）の高さＨの低い球反発体９２を用いる場合は、図１３に示すように、１個所で球反発体９２をガイドレール７にねじ９１で止めればよい。図１４のように、前方向（透過性パネル方向）の高さＨの高い球反発体９２を用いる場合は、この球反発体９２の底面側と前面側の２個所をねじ９１，９１でガイドレール７に取付ければ、球反発体９２をより強固に固定できる。尚、球反発体９２の前面９５に、パッキン板５６を接着剤などで接着したり、あるいは、ガイドレール７に取付けられた状態で、閉じられた透過性パネル５８の裏面５９に前面９５が接触するように形成された球反発体９２を用いることで、球反発体９２がより強固に固定される。
【００１５】
各形態において、パッキン板５６を用いない場合や、閉じられた透過性パネル５８の裏面５９に前面が接触するように形成された球反発体を用いない場合、球反発体の前方向（透過性パネル方向）の高さＨは、球反発体の前面と透過性パネル５８との間を球Ｐが通過しない程度の高さに設定すればよい。
【００１６】
また、図１５に示すように、発射機構１２を２つ備え、左右の発射通路１９Ａ，１９Ｂから球Ｐを発射可能なパチンコ機の場合においても、遊技盤３の意匠盤面４の遊技領域１６の天１６Ａの位置に上述したような球反発体（２０，７０，９２）をガイドレール７に取付ければよい。１００は皿装置である。
【００１７】
以上のように、球反発体を遊技盤３の意匠盤面４の遊技領域１６の天１６Ａに位置するようガイドレール７に取付けた場合は、球Ｐが球反発体に衝突して遊技領域１６の中央側に流下しやすくなり、少ない数の釘の配列（ゲージ配列）でも、遊技領域１６の中央下部に設けられることが多い始動入賞部品１０の近くに球Ｐを流下させやすい遊技盤３となる。また、特許文献２のように、遊技盤３の意匠盤面４の遊技領域１６の天１６Ａに位置するよう回転駆動源の必要な球反発体を設けることは、高価となり採用し難いし、このような回転駆動源の必要な球反発体を採用するためには、遊技領域の天の部分で分断されたガイドレールを採用しなければならず、ガイドレールの製造コストが高くなるという問題があるが、本発明によれば、このような問題を解消できる。
【００１８】
尚、遊技領域１６の天１６Ａとは、遊技領域１６の真ん中の上端を意味するが、本発明では、遊技領域１６の天１６Ａに近い位置（天１６Ａから左右に３ｃｍ位）においてガイドレール７に球反発体を取付けてもよい。
【産業上の利用可能性】
【００１９】
上記では、球反発体を遊技領域１６の天１６Ａに位置するようガイドレール７に取付けた例を示したが、遊技領域１６の天１６Ａの位置でなく、図１６に示すように遊技領域１６の天１６Ａを右側に超えた右斜め上部に球反発体（２０，７０，９２）を設ける場合にも、本発明のように、球反発体をガイドレールに取付けるようにすることによって、球反発体の取付作業工程を少なくでき、球反発体の取付けを容易にすることができるという所期の目的を達成できる。１０１はサイドランプ飾りである。
【図面の簡単な説明】
【００２０】
【図１】本発明の遊技盤を格納したパチンコ機の概略構成を示す図。
【図２】球反発体を示す斜視図。
【図３】球反発体を前面から見た図。
【図４】ガイドレールの取付方法を示す断面図。
【図５】ガイドレール及び球反発体の取付方法を示す断面図。
【図６】ガイドレール及び球反発体の取付方法を示す断面図。
【図７】球反発体が取付けられた状態を示す断面図。
【図８】他の形態１の球反発体を示す分解斜視図。
【図９】他の形態１の球反発体が取付けられた状態を示す斜視図。
【図１０】他の形態１の球反発体が取付けられた状態を示す断面図。
【図１１】他の形態１の変形例を示す図。
【図１２】他の形態２の球反発体の取付方法を示す斜視図。
【図１３】他の形態２の球反発体が取付けられた状態を示す断面図。
【図１４】他の形態２の変形例を示す図。
【図１５】本発明による遊技盤の他の形態を示す図。
【図１６】本発明による遊技盤の他の形態を示す図。
【符号の説明】
【００２１】
３  遊技盤、４  意匠盤面、７  ガイドレール、１２  発射機構、１６  遊技領域、
１６Ａ  遊技領域の天、１９  発射通路、２０，７０，９２  球反発体、
２１，７１  ガイドレール挿入溝（溝）、３１  ピン貫通孔（貫通孔）、
５０  ガイドレール取付ピン（固着具）、５８  透過性パネル（パネル）、
５９  透過性パネルの裏面、８２  係止溝（係合部）。
【図１】
2005124810.tif 000003
【図２】
2005124810.tif 000004
【図３】
2005124810.tif 000005
【図４】
2005124810.tif 000006
【図５】
2005124810.tif 000007
【図６】
2005124810.tif 000008
【図７】
2005124810.tif 000009
【図８】
2005124810.tif 000010
【図９】
2005124810.tif 000011
【図１０】
2005124810.tif 000012
【図１１】
2005124810.tif 000013
【図１２】
2005124810.tif 000014
【図１３】
2005124810.tif 000015
【図１４】
2005124810.tif 000016
【図１５】
2005124810.tif 000017
【図１６】
2005124810.tif 000018